(57)【要約】【課題】カメラモジュールを備える電子機器において、プライベート画像の流出や不正な画像取得による防犯機能の低下などを抑止して、IoTにおけるセキュリティ対策を強化する。【解決手段】カメラモジュール遮蔽装置は、カメラモジュールを電子機器の筐体内に収容して遮蔽する装置であって、カメラモジュールを支持すると共に厚さ方向に直交する平面に沿って移動自在な支持部材と、往復移動する可動子を備えた移動アクチュエータと、可動子の動作によって、カメラモジュールが遮蔽位置と開放位置の間で往復移動するように、支持部材を移動させる移動機構と、移動アクチュエータを制御する制御部を備える。【選択図】図１
2020160316.tif 000002
【特許請求の範囲】
【請求項１】
カメラモジュールを電子機器の筐体内に収容して遮蔽する装置であって、
カメラモジュールを支持すると共に厚さ方向に直交する平面に沿って移動自在な支持部材と、
往復移動する可動子を備えた移動アクチュエータと、
前記可動子の動作によって、前記カメラモジュールが遮蔽位置と開放位置の間で往復移動するように、前記支持部材を移動させる移動機構と、
前記移動アクチュエータを制御する制御部を備えることを特徴とするカメラモジュール遮蔽装置。
【請求項２】
前記移動機構は、前記可動子によって揺動するレバー部材の先端部を前記支持部材に連結していることを特徴とする請求項１記載のカメラモジュール遮蔽装置。
【請求項３】
前記移動アクチュエータは、前記支持部材の移動方向に複数並列配置され、
前記移動機構は、各移動アクチュエータの前記レバー部材によって平行リンクが形成されていることを特徴とする請求項２記載のカメラモジュール遮蔽装置。
【請求項４】
前記移動機構は、前記可動子によって前記支持部材の移動方向に交差する方向に横スライドするリンクを備え、該リンクのスライドによって折り畳み状態と延長状態が切り換えられるリンク機構であることを特徴とする請求項１記載のカメラモジュールの遮蔽装置。
【請求項５】
前記制御部によって制御され、前記遮蔽位置と前記開放位置にて前記支持部材を係止する係止アクチュエータを備え、
前記制御部は、前記係止アクチュエータの係止を解除した後に、前記移動アクチュエータを動作させ、前記移動アクチュエータの動作後に前記係止アクチュエータによる係止を行うことを特徴とする請求項１〜４のいずれか１項記載のカメラモジュール遮蔽装置。
【請求項６】
前記制御部は、前記係止アクチュエータによる係止を行う際に、前記移動アクチュエータによって、前記支持部材の位置を前記遮蔽位置又は前記開放位置に対してオーバーセットさせることを特徴とする請求項５記載のカメラモジュール遮蔽装置。
【請求項７】
前記制御部は、電子機器の動作信号に連動して前記移動アクチュエータを動作させることを特徴とする請求項１〜６のいずれか１項記載のカメラモジュール遮蔽装置。
【請求項８】
前記制御部は、電子機器のスリープ動作に連動して前記移動アクチュエータを動作させ、前記カメラモジュールを遮蔽位置に移動させることを特徴とする請求項７記載のカメラモジュール遮蔽装置。
【請求項９】
前記制御部は、電子機器におけるカメラ撮影動作に連動して前記移動アクチュエータを動作させ、前記カメラモジュールを開放位置に移動させることを特徴とする請求項７又は８記載のカメラモジュール遮蔽装置。
【請求項１０】
請求項１〜９のいずれか１項記載のカメラモジュール遮蔽装置を備えた電子機器。
【請求項１１】
前記制御部は、当該電子機器の動作制御を兼ねることを特徴とする請求項１０記載の電子機器。
【発明の詳細な説明】
【技術分野】
【０００１】
本発明は、カメラモジュール遮蔽装置及びこれを備える電子機器に関するものである。
【背景技術】
【０００２】
近年の電子機器は、取得した画像を処理・保存・送信する機能を備えるものが多く、画像取得のためにカメラモジュールを備えるものが一般化している。カメラモジュールを備える電子機器は、一般に、レンズとイメージセンサを具備するカメラモジュールが電子機器の筐体内に配置されており、電子機器の筐体に形成された開口部からレンズが露出する状態になっている（下記特許文献１参照）。
【先行技術文献】
【特許文献】
【０００３】
【特許文献１】国際公開ＷＯ２０１５／０４１０６６号公報
【発明の概要】
【発明が解決しようとする課題】
【０００４】
近年の電子機器は、「IoT：Internet of Things（モノのインターネット）」という言葉で表現されているように、ネットワークに接続された状態で使用するものが多くなっている。IoTにおいて、電子機器は、常にクラッキング（悪意のあるハッキング）やサイバー攻撃の危機に曝されていると言え、そのためのセキュリティ対策が不可欠になっている。
【０００５】
カメラモジュールを備える電子機器は、前述したように、カメラモジュールに光を取り込むレンズ開口が常に開放された状態になっているので、IoTにおいて、悪意の外部操作でカメラ機能が作動されると、プライベート画像の流出や不正な画像取得による防犯機能の低下などと言った問題が生じる。
【０００６】
また、IoTと切り離した場合にも、カメラモジュールのレンズ開口が常に開放されていると、携帯用電子機器などでは、意図しない画像が取り込まれて保存されてしまう可能性があり、このようなことになると、盗撮の疑いを掛けられるといった事態になりかねない問題が生じる。また、実際に画像が取り込まれることが無くても、カメラモジュールのレンズ開口が開放された状態になっていることで、周囲から盗撮されているのではないかという、あらぬ疑いをかけられるといった問題があった。
【０００７】
本発明は、このような問題に対処するために提案されたものである。すなわち、カメラモジュールを備える電子機器において、プライベート画像の流出や不正な画像取得による防犯機能の低下などを抑止して、IoTにおけるセキュリティ対策を強化すること、意図しない画像が取り込まれて保存される可能性を排除すると共に、周囲から見て電子機器のカメラ機能が働いていないことを明確にすること、などを課題としている。
【課題を解決するための手段】
【０００８】
このような課題を解決するために、本発明は、以下の構成を具備するものである。
カメラモジュールを電子機器の筐体内に収容して遮蔽する装置であって、カメラモジュールを支持すると共に厚さ方向に直交する平面に沿って移動自在な支持部材と、往復移動する可動子を備えた移動アクチュエータと、前記可動子の動作によって、前記カメラモジュールが遮蔽位置と開放位置の間で往復移動するように、前記支持部材を移動させる移動機構と、前記移動アクチュエータを制御する制御部を備えることを特徴とするカメラモジュール遮蔽装置。
【図面の簡単な説明】
【０００９】
【図１】本発明の実施形態に係るカメラモジュール遮蔽装置を示す説明図（（ａ）が遮蔽状態・係止状態の正面図、（ｂ）が同側面図）。
【図２】本発明の実施形態に係るカメラモジュール遮蔽装置を示す説明図（（ａ）が遮蔽状態・係止解除状態の正面図、（ｂ）が同側面図）。
【図３】本発明の実施形態に係るカメラモジュール遮蔽装置を示す説明図（（ａ）が開放状態・係止状態の正面図、（ｂ）が同側面図）。
【図４】制御部の動作チャート例を示した説明図。
【図５】本発明の実施形態の変形例を示す説明図。
【図６】本発明の他の実施形態に係るカメラモジュール遮蔽装置を示す説明図（（ａ）が開放状態の正面図、（ｂ）が開放状態の側面図、（ｃ）が遮蔽状態の正面図）。
【図７】カメラモジュール遮蔽装置を備える電子機器を示した説明図（（ａ）が開放状態、（ｂ）が遮蔽状態）。
【図８】カメラモジュール遮蔽装置を備える他の電子機器を示した説明図（（ａ）が開放状態、（ｂ）が遮蔽状態）。
【発明を実施するための形態】
【００１０】
以下、図面を参照して本発明の実施形態を説明する。以下の説明で、異なる図における同一符号は同一機能の部位を示しており、各図における重複説明は適宜省略する。
【００１１】
図１〜図３にて、本発明の第１の実施形態に係るカメラモジュール遮蔽装置を説明する。カメラモジュール遮蔽装置（以下、単に遮蔽装置）１は、カメラモジュール２を、図示省略した電子機器の筐体内に収容して遮蔽する装置である（図示では、電子機器の筐体の輪郭線Ｆを一点破線で示している。）。この遮蔽装置１は、カメラモジュール２を支持する支持部材３、移動アクチュエータ４、移動機構５、制御部６を備えている。また、付加的に、係止アクチュエータ７を備えている。
【００１２】
支持部材３は、薄厚状の部材（板状部材）であり、カメラモジュール２を支持すると共に厚さ方向（図示のＹ方向）に直交する平面（図示のＸ−Ｚ平面）に沿って移動自在に配備されている。支持部材３を薄厚状にすることで、図１（ｂ）の側面図に示すように、遮蔽装置１自体の薄厚化が可能になる。図示の例では、支持部材３は、枠体１０に設けたガイド部１２に沿って図示のＺ方向に直線的に移動するように、遮蔽装置１の枠体１０内に配備されている。
【００１３】
移動アクチュエータ４は、往復移動する可動子４０を備えており、カメラモジュール２を移動させる駆動源になっている。移動アクチュエータ４の形態は特に限定されないが、図示の例では、移動アクチュエータ４は、枠体１０のベース部１１に支持され、ベース部１１に設けた回転軸（支持部材３の厚さ方向に沿った回転軸）４１周りに揺動する可動子（回転磁石）４０と、可動子４０を挟むように端部が配置されるＵ字状のヨーク４２と、ヨーク４２に巻かれたコイル４３を備えている。
【００１４】
移動アクチュエータ４は、制御部６によって動作が制御され、制御部６から信号によってコイル４３に通電される電流の向きを変えることで、可動子４０が回転軸４１周りを揺動する。図示の例では、支持部材３の移動方向に複数（２個）の移動アクチュエータ４が並列配置されている。複数配置された移動アクチュエータ４のコイル４３は直列に接続されており、これによって、カメラモジュール２を支持する支持部材３を移動させるための力量を確保している。
【００１５】
移動機構５は、前述した可動子４０の動作（揺動）によって、カメラモジュール２が遮蔽位置と開放位置の間で往復移動するように、支持部材３を移動させる機構である。図示の例では、移動機構５は、可動子４０によって揺動するレバー部材５０の先端部を支持部材３に連結している。レバー部材５０は、可動子の回転磁石に一端側が固着（一体化）され、他端の先端側が支持部材３の連結部３０に連結している。図示の例では、複数（２個）の移動アクチュエータ４における複数（２本）のレバー部材５０によって平行リンクが形成されている。移動機構５を設けることで、移動アクチュエータ４の可動子４０の動作範囲に拘わらず、カメラモジュール２を遮蔽位置と開放位置の間で往復移動させることができる。
【００１６】
係止アクチュエータ７は、カメラモジュール２の遮蔽位置と開放位置にて支持部材３を係止する機能を有し、これも制御部６によって制御されている。係止アクチュエータ７は、必須の構成では無いが、これを設けることで、カメラモジュール２を遮蔽位置と開放位置で安定的に支持することができ、衝撃が加わった場合などに、誤動作でカメラモジュール２が開放状態になることを抑止できる。また、係止アクチュエータ７の解除を行う煩雑さが加わることで、不正にカメラモジュール２が開放状態になるのを抑止することができる。
【００１７】
係止アクチュエータ７の形態は特に限定されないが、図示の例では、移動アクチュエータ４と同様に、枠体１０のベース部１１に支持されており、ベース部１１に設けた回転軸（支持部材３の厚さ方向に沿った回転軸）７１周りに揺動する可動子（回転磁石）７０と、可動子７０を挟むように端部が配置されるＵ字状のヨーク７２と、ヨーク７２に巻かれたコイル７３を備えている。図示の例では、係止アクチュエータ７の可動子７０は、磁気吸引で支持部材３側に付勢されており、コイル７３への通電を行うことで、可動子７０が支持部材３から離れる方向に揺動する。
【００１８】
このような遮蔽装置１の動作を説明すると、常時は、係止アクチュエータ７０が係止部材８を支持部材３の被係止部３１に係止させていることで、支持部材３に支持されているカメラモジュール２は、遮蔽装置１の枠体１０に保持されている。図１に示した状態では、カメラモジュール２は、遮蔽位置にあり、カメラモジュール２のレンズ開口２Ａは、電子機器の筐体によって遮蔽されている。係止アクチュエータ７が、係止部材８を支持部材３の被係止部３１の上側に係止していることで、カメラモジュール２が不意に電子機器の筐体の輪郭線Ｆから外に突出するのを抑止している。
【００１９】
カメラモジュール２を開放位置に移動させる際には、先ず、図２に示すように、係止アクチュエータ７を動作させて、係止部材８を支持部材３の被係止部３１から退避させ、その後、移動アクチュエータ４を動作させて支持部材３を移動させ、カメラモジュール２をレンズ開口２Ａが開放される開放位置まで移動させる。カメラモジュール２が所定の開放位置まで移動すると、図３に示すように、係止アクチュエータ７が係止部材８を支持部材３側に移動させることで、係止部材８が支持部材３における被係止部３１の下側に係止される。
【００２０】
図４は、制御部６の動作チャート例を示している。前述した遮蔽装置１の動作を実行する上で、制御部６には、移動アクチュエータ４と係止アクチュエータ７の動作タイミングが設定されている。図示の動作チャートは、移動アクチュエータ４のコイル４３への通電タイミングと可動子４０によって移動される支持部材３の移動状態、係止アクチュエータ７のコイル７３への通電タイミングと可動子７０によって移動される係止部材８の移動状態を示している。
【００２１】
図１に示す遮蔽状態から支持部材３を開放位置に移動する際の動作タイミングを説明すると、コイル７３への通電開始（ｔ０）から、係止部材８が解除状態になった（ｔ１）の後に、コイル４３への通電を開始する（ｔ２）。そして、コイル４３への通電開始（ｔ２）から設定電流値の通電を行うことで、支持部材３の位置を設定された開放位置からオーバーセットさせる（ｔ３）。
【００２２】
支持部材３の位置がオーバーセットされた（ｔ３）の後に、その状態を維持しながらコイル７３への通電を反転させて（ｔ４）、係止部材８が係止状態になった（ｔ５）後に、コイル７３への通電を止める（ｔ６）。そして、コイル７３への通電を止めた（ｔ６）後、コイル４３への通電を止める（ｔ７）。これによって、支持部材３は係止状態で開放位置に保持される。
【００２３】
図３に示す開放状態から支持部材３を遮蔽位置に移動する際の動作タイミングを説明すると、先ず、コイル４３へ通電（ｔ８）して、支持部材３をオーバーセットさせ、その状態を維持しながらコイル７３に通電して（ｔ９）、係止部材８を解除状態にする（ｔ１０）。係止部材８が解除状態になった後、解除状態を維持しながら、コイル４３の通電を反転させて（ｔ１１）、支持部材３を遮蔽位置に移動させ（ｔ１２）、支持部材３が遮蔽位置に移動した（ｔ１２）後、コイル４３への通電を止める（ｔ１３）。その後、コイル７３への通電を反転させて（ｔ１４）、係止部材８が係止状態になった（ｔ１５）後、コイル７３への通電を止める。これによって、支持部材３は遮蔽位置に保持される。
【００２４】
なお、図４における説明では、時系列的なタイミングで動作制御を行っているが、支持部材３の遮蔽位置と開放位置を検知する位置検知センサを設けて、位置検知センサの出力によって位置を確認した後に、移動アクチュエータ４又は係止アクチュエータ７の動作を行うようにしてもよい。また、前述の説明では、移動アクチュエータ４によるオーバーセットを開放位置のみで行っているが、遮蔽位置でも係止部材８の係止を行う前に支持部材３をオーバーセットさせるようにしてもよい。
【００２５】
図５には、前述した実施形態の変形例を示している。この例では、移動アクチュエータ４を、支持部材３の移動方向（図示Ｚ方向）と交差する方向（図示Ｘ方向）に２個並べて対向配置している。そして、支持部材３は、枠体１０に設けたガイド部（ガイド溝）１２に係合して、図示Ｚ方向に移動自在になっている。
【００２６】
図６にて、本発明の第２の実施形態に係るカメラモジュール遮蔽装置を説明する。この遮蔽装置１も、前述した実施形態と同様に、カメラモジュール２を支持する支持部材３、移動アクチュエータ４、移動機構５を備えている。また、制御部６は図示省略している。
【００２７】
この例の支持部材３は、前述した実施形態と同様に、枠体１０に設けたガイド部（ガイド溝）１２に沿って、図示Ｚ方向に往復移動自在に配備されている。また、支持部材３が移動自在に配備される枠体１０には、支持部材３が開放位置に位置決めされる位置決め部１３が設けられると共に、支持部材３が遮蔽位置に位置決めされる位置決め部１４が設けられている。
【００２８】
この例の移動機構５は、移動アクチュエータ４によって揺動されるレバー部材５１にリンク機構が連結しており、このリンク機構の延長状態（図５（ａ）参照）と折り畳み状態（図５（ｃ））で、支持部材３及びカメラモジュール２を開放位置と遮蔽位置に移動させている。図示のリンク機構は、移動アクチュエータ４の可動子４０によってレバー部材５１を揺動させ、これによって横リンク５２を支持部材３の移動方向に交差する方向に横スライドさせ、横リンク５２のスライドによって、縦リンク５３の折り畳み状態と延長状態が切り換えられる。
【００２９】
前述した実施形態において、移動アクチュエータ４は、前述した形態の他に各種の形態を採用することができる。例えば、ＶＣＭ（Voice Coil Motor）などの直線的に可動子が往復移動するリニアアクチュエータを用いて、支持部材３を直接又は間接的に往復移動させるようにしてもよい。
【００３０】
また、前述した実施形態において、移動機構５も、前述した形態の他に各種の形態を採用することができる。例えば、移動アクチュエータ４の可動子４０を繰り返し往復動作させ、ラチェット機構を介して、支持部材３を断続的に一方向に移動させ、ラチェット機構の送り方向を切り替えて、移動アクチュエータ４の可動子４０を繰り返し往復動作させて、支持部材３を断続的に他方向に移動させる機構などを採用することができる。
【００３１】
以上説明したカメラモジュール遮蔽装置１は、ＰＣ（Personal Computer）、ＡＩスピーカー、スマートフォン、ホームセキュリティーカメラ（監視カメラ）など、ネットワークに接続されている電子機器に採用して、プライバシー保護を実現することができる。
【００３２】
すなわち、前述した遮蔽装置１は、遮蔽状態にすることで、カメラモジュール２が電子機器の筐体内に収容されて、カメラモジュール２のレンズ開口２Ａが遮蔽される。これによって、カメラモジュール２の遮蔽状態でカメラ撮像機能が作動しても、プライベート画像が撮像されたり、意図しない画像の取り込みがなされたりすることがなく、遮蔽状態では、カメラモジュール２自身が外部から見えなくなるので、周囲から盗撮のあらぬ疑いをかけられることもない。また、遮蔽装置１は、カメラモジュール２毎移動させるので、カメラモジュール２の画質に影響することなく、レンズ開口２Ａを遮蔽・開放することができる。
【００３３】
前述した遮蔽装置１は、制御部６からの信号で、カメラモジュール２を支持する支持部材３を移動させる。これによって、電子機器の動作信号に連動して、移動アクチュエータ４を動作させて、カメラモジュール２の遮蔽・開放を切り替えることができる。これにより、ユーザーの操作によってカメラ機能の使用状態・不使用状態を切り替える煩雑さが解消され、また、ユーザーの操作忘れで、カメラモジュール２が開放状態のまま、カメラ機能が作動可能な状態で放置されてしまうことを抑止することができる。
【００３４】
特に、電子機器がスリーブ状態になっている場合には、外観的には電源ＯＦＦのように見えるが、電子機器は作動可能な状態になっている。ネットワークに接続されている電子機器をスリーブ状態のまま放置していると、悪意の外部操作でカメラ機能が作動する可能性がある。これに対処するためには、電子機器のスリーブ動作に連動して移動アクチュエータ４を動作させ、カメラモジュール２を遮蔽位置に移動させる制御を行うことが有効である。これによると、ユーザーが電源を切り忘れてスリーブ状態が放置されている場合にも、カメラモジュール２がスリーブ動作に連動して遮蔽状態になるので、悪意の外部操作がなされたとしても、プライベート画像の流出や不正画像の取得を抑止することができる。
【００３５】
また、前述したスリーブ動作だけでなく、電子機器のカメラ機能が使用されていない状態を検知して、常時、カメラモジュール２を遮蔽位置に移動させる制御を行うことで、より効果的にプライベート画像の流出や不正画像の取得を抑止することができる。そして、電子機器におけるカメラ撮影動作（カメラアプリへのアクセス操作）に連動して移動アクチュエータ４を動作させ、カメラモジュール２を開放位置に移動させる制御を行うことで、ユーザーはストレス無く遮蔽状態になっているカメラモジュール２を開放状態に切り替えることができる。
【００３６】
図１〜図３に示した実施形態は、薄厚状の枠体１０の平面に沿って薄厚状の支持部材３を移動させるので、全体構成を薄厚にすることができる。これによって、厚さ方向のスペース確保が難しい電子機器内において、電子機器内の他の部品の配置スペースを圧迫すること無く、カメラモジュール２を遮蔽状態にすることができる。
【００３７】
また、図１〜図３に示した実施形態は、係止アクチュエータ７を備えており、支持部材３が遮蔽位置と開放位置で係止部材８によって係止されるので、カメラモジュール２を安定した状態で遮蔽位置と開放位置に保持することができる。そして、係止アクチュエータ７と移動アクチュエータ４の動作シーケンスを制御部６で制御しており、係止アクチュエータ７によって係止部材８を解除しないと、移動アクチュエータ４による支持部材３の移動ができないようになっているので、仮に、悪意の外部操作で移動アクチュエータ４の動作を行おうとしても、係止アクチュエータ７の解除を行う煩雑さが抑止効果になる。
【００３８】
また、図１〜図３に示した実施形態は、制御部６が、係止アクチュエータ７による係止を行う際に、移動アクチュエータ４によって、支持部材３の位置を遮蔽位置又は開放位置に対してオーバーセットさせているので、係止部材８が支持部材３の被係止部３１に衝突することを抑止することができる。これによって、係止アクチュエータ７による係止時に衝突音が生じたり、衝突による変形や破損が生じたりすることを回避できる。
【００３９】
図７には、前述した遮蔽装置１を備えた電子機器の一例を示している。図示の例の電子機器１００は、前面に透明なフロントパネル１０１とディスプレイパネル（例えば、ＬＣＤパネル）１０２を備えた筐体１００Ａを具備するノート型のＰＣ（Personal Computer）である。これによると、カメラモジュール２は、使用時には筐体１００Ａの外側に突出され、非使用時には筐体１００Ａの内部に収容されるので、筐体１００Ａにカメラモジュール２のレンズ開口を設けるスペースを確保する必要が無い。このため、図示のように、筐体１００Ａの一面のほぼ全体にディスプレイ１０１の表示面を設けることができ、ディスプレイ１０１の表示面積を筐体１００Ａの前面に対して最大限に広げることができる。遮蔽装置１は薄厚であるため、電子機器１００の筐体１００Ａの厚さの嵩張りを抑えて、遮蔽装置１とディスプレイ１０１とを筐体１の内部で重ねて配置することができる。
【００４０】
図８には、前述したカメラモジュール２の遮蔽装置１を備えた電子機器の他の一例を示している。図示の例の電子機器２００は、筐体２００Ａの前面にディスプレイ２０１を備える携帯電子機器である。また、 遮蔽装置１は薄厚であるため、電子機器２００の厚さの嵩張りを抑えて、遮蔽装置１とディスプレイ２０１とを筐体２００Ａの内部で重ねて配置することができる。
【００４１】
そして、前述したカメラモジュール２の遮蔽装置１を備える電子機器１００，２００は、プライベート画像の流出や不正な画像取得を抑止して、IoTにおけるセキュリティ対策を強化することができると共に、意図しない画像が取り込まれて保存される可能性を排除することができる。また、カメラモジュール２が筐体１００Ａ，２００Ａ内に収容されている状態では、周囲から見て電子機器１００，２００のカメラ機能が働いていないことが明らかになるので、携帯用として使用する場合に、盗撮のなどのあらぬ疑いをかけられることがない。
【００４２】
なお、 電子機器１００，２００は、前述した携帯電子機器（例えば、スーマトフォン、タブレット端末）やノート型のＰＣだけに限らず、他の電子機器も含まれる。また、 カメラモジュール２が遮蔽位置にあるときに、電子機器１００，２００が備えるマイクが遮音されるようにしてもよい。具体的には、遮蔽装置１が遮音部をさらに備え、その遮音部が支持部材３の移動に合わせて動作する機構を採用することできる。
【００４３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４４】
１：カメラモジュール遮蔽装置（遮蔽装置），
２：カメラモジュール，２Ａ：レンズ開口，
３：支持部材，３０：連結部，３１：被係止部，
４：移動アクチュエータ，
４０：可動子，４１：回転軸，４２：ヨーク，４３：コイル，
５：移動機構，５０，５１：レバー部材，５２：横リンク，５３：縦リンク，
６：制御部，
７：係止アクチュエータ，
７０：可動子，７１：回転軸，７２：ヨーク，７３：コイル，
１０：枠体，１０Ａ：凹部，
１１：ベース部，１２：ガイド部，１３，１４：位置決め部，
１００，２００：電子機器，１００Ａ，２００Ａ：筐体，
１０１，２０１：ディスプレイ，１０２：フロントパネル，Ｆ：輪郭線
【図１】
2020160316.tif 000003
【図２】
2020160316.tif 000004
【図３】
2020160316.tif 000005
【図４】
2020160316.tif 000006
【図５】
2020160316.tif 000007
【図６】
2020160316.tif 000008
【図７】
2020160316.tif 000009
【図８】
2020160316.tif 000010